(57)【要約】      （修正有）【課題】カルトナージュの技法だけでは出せない重厚感を製本の背表紙を付けるという技術と一体化させることにより、本やノートをしっかりと保護、するカバーを提供する。【解決手段】カルトナージュの技法のノートや本の表表紙と裏表紙をはさむ部分と、製本（ルリユール）の技法の背表紙をつけるという技術を一体化させて、取りはずしが可能で頑丈且つ重厚なノートカバーとする。【選択図】図５
2011189723.tif 000002
【特許請求の範囲】
【請求項１】
製本（ルリユール）の技法の背表紙をつける部分を本、又はノートの表表紙と裏表紙には直接接着させずに、背表紙をボール紙でカットし表表紙と裏表紙になる部分の折り返し部分をあけて布又は紙で覆いくるみのりで留めて頑丈な背表紙にする技法。
【請求項２】
背表紙をつけた本又は、ノートカバーの土台となる台紙（表表紙と裏表紙）に、カバーの取り外しができるはさむ部分を土台の台紙（表表紙と裏表紙）と内側の台紙（表表紙と裏表紙）の間にのりで貼りつけて取り付けブックカバーに仕上げる。
【発明の詳細な説明】
【技術分野】
【０００１】本発明はＢＯＯＫやノート、ダイアリーなどを保護する重厚なブックカバーに関する。
【背景技術】
【０００２】このＢＯＯＫやノートカバーは製本（ルリユール）とカルトナージュの技法の両方を兼ね備え、機能的かつ重厚なつくりになっている。
【先行技術文献】
【特許文献】
【０００３】本発明は製本（ルリユール）とカルトナージュの技法の特殊技術の組み合わせにより、重厚でしっかりとした背表紙がつけられたノート、又はブックカバーである。
【特許文献１】製本（ルリユール）はあくまでも本としての機能が果たせるような仕上がりになっている。（製本は厚表紙・丈夫で重厚感がある、薄表紙・手帳や辞書のように頻繁に開くものに使用。）
なので、中身の文献と表表紙、裏表紙には見返しという部分があり、それが貼りつけられていて一体化し、一冊の本になっているものであるが製本には必ず背がついている。
本発明のノート、ブックカバーにも製本のような背表紙を製本の技法に似た方法でつけることにより、ノート又は本をしっかりと保護して、しっかりとした作りになっている。
【特許文献２】カルトナージュは厚紙に自分の好きな紙又は布を貼りつけてオリジナルのノート又はブックカバーを作ることが目的である。カバーを作るというところが最大の目的であって、カルトナージュの技法には背表紙をつけるという技術はない。
本発明は製本（ルリユール）の背表紙の部分をカルトナージュの技法にプラスをしてノート又はブックカバーでも製本のような重厚感を出すことができ、丈夫で本格的なノートカバーなどに仕上げられるものである。
【非特許文献】
【０００４】本発明はノートカバーの基本となる作り方、製本（ルリユール）とカルトナージュの技法が基礎となっている。
【非特許文献１】製本（ルリユール）とは基本的には本の修復を目的とする製法である。ノートカバーというよりも１冊の本に仕上げる作業になっている。
【０００５】製本（ルリユール）は古くなった本や自分の気に入った本などを解体して中身を綴じなおしをして綴って行き、糊付けをし、プレスをかけまた糊をなじませ表紙をカットしたものを中身の本と合体させて表紙に革や布、紙を張り付けて仕上げていくものである。【０００６】まず最初に本を修復させていくことは、本の表紙を中身の綴ってある冊子を解体させる。【０００７】見返しはりをする。
本の本文の最初と最後の遊び紙の面に見返し用紙を全面に糊づけをする。
出来上がった時に遊び紙と見返しが１枚の紙のように一体化する。
本文の最初の折丁の一番外側の遊び紙（糊をひく面）の紙１枚だけをめくり、下からケント紙、ワックスペーパー、ノリひき紙の順に重ねたセットをはさむ。
糊づけをしていく。
もう一方の折り丁も同じ作業をして、両方の折り丁に見返しが貼り終わったら、板、古新聞、厚紙の間に、それぞれの折り丁をケント紙とワックスペーパーをはさんだままペットボトル５〜６本を乗せて２４時間おく。【０００８】表紙布の裏打ちをする。
布を裏返しに水はりしたうえに糊をひいた紙を合わせる。
板をスポンジで濡らし、その上に布を裏返し（表を下）に乗せる。
その上からもスポンジで押さえるように湿らせていく。
全体が湿ったら布目をまっすぐに整え、余分な水分は取る。
ブラシで紙の上から細かくたたき、紙が布目の間に入るようにする。
その後、半日位乾かす。【０００９】表紙ボールの裁断をする。
ヒラのボール２枚は天のノド側にくる角を、背は天のどちらかの角を、端を１ｍｍほど落として、正確な直角を切る。
おおよその本は「天地＝本文天地＋５ｍｍ」、「幅＝本文の幅−２ｍｍ」で適用できるが、開閉の余裕のためには溝幅は「ボール紙の厚さの３倍＋余裕」が必要であり、大きな本で厚い表紙ボールを使うような場合は上記の式で計算する。【００１０】見返しの仕上げ裁ちとノドの補強をする。
見返しを貼った折り丁は見返し用紙が本文よりも天地と前小口で５ｍｍほどはみ出している。
見返しを下にして金属ものさしを本文の天に合わせてはみ出した部分を切り落とす。【００１１】本文のかがりと背の仕上げをする。
糸かがりのためにとじ穴を糸ノコで開ける。
修復の時は以前のとじ穴を再確認して目打ちで穴をあける。
目引きの単位は小さい本では３等分、大きい本や重い本は５等分というように調節する。【００１２】見返しの折り丁に目引き穴をうつす。【００１３】１本針かがりをする。
始めに１折り目と２折り目とを連結し、３折り目から先は前の折の連結点に糸をからげながら連結していくかがり方。【００１４】背固めをする。
かがり終わった背は柔構造で、まだ上下の動きがあるので、折り目を平らにならして少量のボンドで安定させ、背の厚みを調整する。【００１５】寒冷紗を貼る。
寒冷紗は布目を縦に、天地は本文−２ｍｍ、左右は背幅＋４０ｍｍにカッターで切り、布目の縦端から２０ｍｍのところに鉛筆線を入れておく。
背に水溶きボンドを薄く塗り、机の端から少し出しておく。
寒冷紗の紙の面にでんぷん糊を塗って鉛筆線を背の角に合わせて背をヘラで手前に引くようにこする。【００１６】花ぎれを選び貼る。
表紙布や見返しに合う色柄の布を選び、丈（長さ）は表に出したい部分の上５ｍｍ、下５ｍｍ、幅は中身の背幅より５ｍｍ以上大きい位にカットする。
上から５ｍｍのところに折り目をつけて、ボンドを塗り、タコ糸をおいてくるんで押さえ、糸が折り目のところにくっつくようにする。
天と地の２つを作る。
背幅より両側１ｍｍずつ短くカットし、背にボンドを塗って花ぎれの芯が小口の上に出るよう、水平に貼る。【００１７】クータを作る。
紙は紙の目を縦に、天地は本文＋１０ｍｍ、左右は中央に「背幅＋１０ｍｍ」両側にそれぞれ「中央の寸法の２分の１＋３ｍｍ」を足してカッターで切る。
左右の寸法は合計して「背幅の２倍＋２６ｍｍ」となる。
目打ちで中央のところの両側の上下に軽く線を入れる。
ものさしを線のところにあてて、折り目をつけものさしをはずして折る。
重なる６ｍｍのところに水溶きボンドを塗って筒を作る。
乾いたら、筒の丈が本文より１ｍｍ位短くなるように天地をカッターで切り落とす。
重なりのないほうを内側にして中身の背に合わせてみて、左右が５ｍｍずつヒラに向かって曲がるように折り目をつける。
中身の背の部分に木工ボンドを塗り、クータの重なりのない面全体にもボンドを塗って中身を合わせ、背をしっかり押さえてから両側に向かってなでつける。ヘラでしっかりこする。【００１８】本文の小口調整をする。
クータをつけた段階で本文の背の作業は仕上がる。
この段階で見返しはりの時の紙の伸び具合などによって出た前小口の幅のばらつきを調整する。【００１９】表紙の作成・・・本文のサイズに合わせた表紙を作る。
タイトル作りと表紙のくぼみを作る。
ここのタイトル作りは本発明と直接かかわりがないので省略する。【００２０】表紙ばりをする。
ボールを表紙裏の正しい位置に置き、左右天地を間違えないように、布の折り返し部分を鉛筆で合印をしておく。
水溶きボンドを塗ってボールを取り、背、くぼみのある表のヒラボール、裏のヒラボールの順でボール紙にはっていく。
各表紙ごとに、鉛筆線を確認して置き表面に向きを返して柔らかい紙の白い面を布に当てて上からヘラを横に寝かせて密着させる。
表紙を裏に返し、角の頂点から５ｍｍのところで布を４５度にはさみでカットする。
布の天の折り返し分とボールの小口に水溶きボンドを塗り、白い紙でゆるみたるみがないように折り返す。
ヘラで小口、裏の順で押さえる。
背ボールの両脇も上につき出ないようにヘラで押さえる。
地も同様に折り返したら、折り返しの部分にほんの少しの木工用のボンドをつまようじでつけ、整形する。
角に巻いてみて、脇が出たり頂点が突き出ないようにする。
前小口の折り返しも天地と同様にしてはり、白い紙で押さえたまま角の布面が重なるよう脇からヘラでゆっくり静かに押さえる。【００２１】表紙をつけノリ入れをする。
表紙をつける。
中身と表紙の天地を確認し、クータと表紙裏の天に近い方に印をつけておき、表紙を中身にかぶせてみて、ミゾのヒラボール側をヘラで押さえておく。
クータの天地１ｍｍほどを除いて木工ボンドを塗る。
表紙は裏返して折って人指し指をはさんで持ち、角度をつけながら、表紙裏の背、ミゾ、ヒラボールのきわを天地３ｍｍほどひかえてボンドを塗る。
表紙を下に置いて、中身を片側の表紙の上に、三法のチリが同じになるように横に置く。
そのままもう一方の表紙を前小口が対応するようにかぶせ、全体を持ち上げ、天地のチリが均等か確かめ調整する。
表紙のヒラが揃うように横に置いて上から押さえ、ヘラでみぞをつける。
両側のミゾが入ったら中身と表紙の背中心が合っているかどうかを確かめ、机の端から背を少し出しタコ糸でみぞをしっかりと結んで押さえる。
見返しをつけノリ入れをする。
一番外側の見返し紙を表紙裏につける。
見返し紙はノリで伸びる部分をあらかじめ切る。
背を左に置き、見返しの下に、下からケント紙、ワックスペーパー、ノリひき紙の順に重ねたセットをはさむ。
でんぷん糊を寒冷紗の上に上下に押し出すように塗り、その上から左手の指でしっかり押さえる。
見返しはりの時と同じく手早く糊をひき、最後に寒冷紗を含む四辺に水溶きボンドをでんぷん糊の上に乗せるように少量を塗る。
ワックスペーパーの部分を押さえてノリひき紙を引き抜き表紙をかぶせる。
持ち上げて本を細めて開き、前小口の伸び具合、しわを確認してから見返しはりと同様に２度プレスする。
再度、タコ糸の下からみぞをヘラで押さえて板の間にはさんでおもりを乗せて最低２４時間乾燥させる。
製本はあくまで本に仕上げることが目的であってカバーをつけるような作業はない。
【非特許文献２】
【００２２】カルトナージュのノートカバーの作り方は自分が作りたいサイズのノートのカバーに布や紙を貼ってオリジナルのものが作れるという利点がある。
ノート又は本のサイズをはかる。
実サイズの縦の長さ＋５ｍｍ＋５ｍｍ、横の長さ＋５ｍｍのサイズにボール紙をカットする。【００２３】紙又は布を実サイズの縦の長さ＋５ｍｍ＋５ｍｍ、横の長さ＋５ｍｍのサイズにカットしたボール紙の大きさプラス背幅分＋２ｍｍの横の長さをカバーする全体の大きさに上下１．５ｃｍ足した大きさに切る。【００２４】カットした紙又は布の中、上下左右に１．５ｃｍを残してボール紙を置き、ふちを水溶きボンドで塗り周りを押さえて止めて行く。
四隅は紙又は布を斜め４５度位にカットして上下の方より止めていく。
縦の方も同様に水溶きボンドを塗って押さえていき、四隅は上下の部分をかぶせるように押さえて角の始末をする。【００２５】ノートカバーの裏の部分の紙又は布をカットする。
紙又は布を実サイズの縦の長さ、横の長さのサイズにカットしたボール紙の大きさプラス背幅分＋２ｍｍの横の長さをカバーする全体の大きさに上下１．５ｃｍ足した大きさに切る。
カットした紙又は布の中、上下左右に０．５ｍｍを残してボール紙を置き、ふちを水溶きボンドで塗り周りを押さえて止めて行く。
四隅は紙又は布を斜め４５度位にカットして上下の方より止めていく。
縦の方も同様に水溶きボンドを塗って押さえていき、四隅は上下の部分をかぶせるように押さえて角の始末をする。【００２６】（００２４）文献の上に（００２５）文献を背中心を合わせて乗せ中心より少し水溶きボンドを塗っておく。【００２７】ノートの表紙と裏表紙をはさむカバーの部分を作る。
この部分は同じ紙、布、又はスキバルのようなものでもよい。
表紙と裏表紙をはさむカバーの部分を縦はノートの長さ、横は何センチくらいにするかを決めてその長さプラスくるみ部分を上下約１ｃｍ位にしてカットする。
くるみ部分約１ｃｍの部分に水溶きボンドを塗ってまず、（００２５）文献につける。
四隅は紙又は布を斜め４５度位にカットして上下の方より留めていく。
縦の方も同様に水溶きボンドを塗って押さえていき、四隅は上下の部分をかぶせるように押さえて角の始末をする。
水溶きボンドが乾いたら（００２４）文献に貼りつけてまた、再度、四隅は斜め４５度位にカットして上下の方より留めていく。
縦の方も同様に水溶きボンドを塗って押さえていき、四隅は上下の部分をかぶせるように押さえて角の始末をする。
カルトナージュの技法はノートや本のカバーを作るのが目的であって背表紙をつけることはほとんどない。
【発明の概要】
本発明は製本（ルリユール）の技法の背表紙をカルトナージュの技法にも用いて頑丈かつ、重厚感のあるオリジナルなノート又はブックカバーの発明である。
【発明が解決しようとする課題】カルトナージュの技法だけでは出せない重厚感を製本の技術と一体化させることにより、本やノートをしっかりと保護、カバーすることができるということである。
【課題を解決するための手段】
【００２８】本発明はカルトナージュと製本（ルリユール）の技法を一体化させて頑丈で重厚感のある本、又はノートを保護したカバーである。
まず、カルトナージュの作り方で本又はノートのサイズをはかり、実サイズの縦の長さ＋５ｍｍ＋５ｍｍ、横の長さ＋５ｍｍのサイズにボール紙をカットする。【００２９】紙又は布を実サイズの縦の長さ＋５ｍｍ＋５ｍｍ、横の長さ＋５ｍｍのサイズにカットしたボール紙（２枚分）の大きさプラス背幅分＋２ｍｍの横の長さをカバーする全体の大きさに上下１．５ｃｍ足した大きさに切る。
この時、カルトナージュの技法では背表紙はつけないでカバーにあたる部分を紙又は布でボール紙を貼っていくが、本発明ではここで製本の技法を取り入れ背表紙をつけていく。【００３０】ボール紙を背表紙幅＋５ｍｍ＋５ｍｍ、縦の長さ＋５ｍｍ＋５ｍｍにカットする。
縦の長さ＋５ｍｍ＋５ｍｍ、横の長さ＋５ｍｍのサイズにカットしたものを２枚用意し、表表紙、背表紙、裏表紙と並べ表表紙と裏表紙の間は背表紙の分＋両横２ｍｍ分をあけて置く。【００３１】（００２９）の文献の紙又は布の上に（００３０）文献のボール紙を並べてボール紙にのりをつける。
１．５ｃｍの、のりしろ部分にものりをつけて貼る。
この時、上の端部分と下の端部分４か所は紙又は布を斜め４５度にカットして上下交互に貼る。【００３２】内側の部分の布又は紙をカットする。
本又はノートの実サイズと背表紙をくるむ分＋のりしろ分上下１．５ｃｍと背表紙の両端２ｍｍ＋２ｍｍを足した長さにカットする。【００３３】本又はノートの表表紙と裏表紙の実サイズに裏表紙をカットする。
のりしろ分を内側に折り込みカットした裏打紙を表表紙と裏表紙の部分に合うように置きのりを貼っていく。【００３４】［００３３］の文献を背中心におきその部分をのりで貼って固定させる。
製本（ルリユール）の技法を用いる。【００３５】本又はノートの表表紙と裏表紙をはさむ部分を作る。
本又はノートの表紙サイズの３分の１程度の横の長さと本又はノートの縦の長さ分のサイズの裏打紙を２枚カットする。
その裏打紙をくるむ布又は紙を横の長さ×２＋１．５ｃｍ、縦の長さは本又はノートの長さ＋１．５ｃｍ＋１．５ｃｍをカットする。
１．５ｃｍののりしろを残し、裏打紙をアイロンで貼り、粘着のない方はのりをつける。
カルトナージュの技法を用いる。【００３６】（００３５）の文献を（００３４）の文献に乗せて両端のカバー部分をのり付けする。【００３７】本又はノートの表表紙と裏表紙のカバー部分が出来れば、内側の部分を表表紙と裏表紙の部分にのり付けをして仕上げる。
【発明の効果】製本（ルリユール）の背表紙をカルトナージュの技法にも用いてノート又はブックカバーを作ることにより、ノート又はブックカバーでも頑丈で重厚感のある本のような画期的なカバーが仕上がる。
【図面の簡単な説明】製本（ルリユール）の背表紙をカルトナージュの技法に用い、カルトナージュの技法の中のカバーの部分を用いて仕上げる。【００３８】
【図１】本又はノートをカバーする表の本体部分のカットしたボール紙  製本（ルリユール）の技法を取り入れた背表紙がある図
【図２】カルトナージュの技法の表の本体部分のカットしたボール紙  背表紙がついてない図
【図３】同じくカルトナージュで背表紙はないがノート又は本の表紙をはさむ部分がついている図
【図４】背表紙がついている（製本の技法）  製本（ルリユール）ａとカルトナージュｂの技法を取り入れた図  本の表表紙と裏表紙をはさむ部分（カルトナージュの技法）を取り入れた図
【発明を実施するための形態】
【００３９】本発明は製本（ルリユール）の背表紙をつけるという技法とカルトナージュの本又はノートのカバーの表表紙と裏表紙の袋の部分をつけるという技法の両方の利便性を取り入れたものである。
【実施例】
【００４０】［図１］の製本（ルリユール）のように背表紙をつけることによって、しっかりとしたつくりになり、保護力もアップし、重厚感のある本又はノートのカバーに仕上がる。【００４１】［図１］は製本で作る時のボール紙で［図３］のカルトナージュの技法を用いて本やノートの表表紙（ｄ）と裏表紙（ｅ）をはさむ部分を作ることと（図ｃ）の製本の背表紙をつけるとカバー力がアップする。
【産業上の利用可能性】
【００４２】製本（ルリユール）の技法とカルトナージュの技法をとりいれることにより、従来の本又はノートカバーよりも両技法の独自の部分が生かせることができ、あらゆる本やノートのカバーに用いることが出来る。
【符号の説明】
【００４３】［図１］製本（ルリユール）の技法の原型となるボール紙の図
［図２］カルトナージュの技法をの原型となるボール紙の図
［図３］カルトナージュの技法で本やノートの表表紙と裏表紙をはさむ部分の図
［図４］製本（ルリユール）とカルトナージュの技法が一体化した図
［図５］製本（ルリユール）とカルトナージュの技法が一体化した図にノートなどを挿しこんだ図
（ａ）・・・表表紙となるボール紙の図
（ｂ）・・・裏表紙となるボール紙の図
（ｃ）・・・背表紙となるボール紙の図
（ｄ）・・・カルトナージュの技法の表表紙のボール紙の図
（ｅ）・・・カルトナージュの技法の裏表紙のボール紙の図
（ｆ）・・・カルトナージュの技法の表表紙をはさむカバーの部分の図
（ｇ）・・・カルトナージュの技法の裏表紙のボール紙の図
【図１】
2011189723.tif 000003
【図２】
2011189723.tif 000004
【図３】
2011189723.tif 000005
【図４】
2011189723.tif 000006
【図５】
2011189723.tif 000007
【手続補正書】
【提出日】平成22年6月21日(2010.6.21)
【手続補正２】
【補正対象書類名】明細書
【補正対象項目名】００３８
【補正方法】変更
【補正の内容】
【００３８】
【図１】本又はノートをカバーする表の本体部分のカットしたボール紙製本（ルリユール）の技法を取り入れた背表紙がある図
【図２】カルトナージュの技法の表の本体部分のカットしたボール紙背表紙がついてない図
【図３】同じくカルトナージュで背表紙はないがノート又は本の表紙をはさむ部分がついている図
【図４】背表紙がついている（製本の技法）製本（ルリユール）ａとカルトナージュｂの技法を取り入れた図本の表表紙と裏表紙をはさむ部分（カルトナージュの技法）を取り入れた図
【図５】背表紙がついている（製本の技法）製本（ルリユール）ａとカルトナージュｂの技法を取り入れた図本の表表紙と裏表紙をはさむ部分（カルトナージュの技法）背表紙がついて本の表表紙と裏表紙をはさむ部分がつき裏表紙も貼れた完成図